(57)【特許請求の範囲】
【請求項１】
斜め下向き又は下向きの開口をもつスクリーン収容部に、該開口を開閉する蓋を、蓋の下端側で蝶着したストレーナーにおいて、引張ワイヤの一端を結着するワイヤ結着部材をスクリーン収容部の蓋の上半部の外面に取り付け、スクリーン収容部に続く配管結合部であって、スクリーン収容部の開口側にある配管結合部に滑車を取り付け、該滑車に前記引張ワイヤを掛け、該引張ワイヤの他端を停止機構付きのワイヤ巻回装置に巻付け、該ワイヤ巻回装置は滑車を挟んでストレーナーとは反対側で、かつ滑車よりも下方に配置したことを特徴とするストレーナーのスクリーン収容部の蓋の開閉装置。
【請求項２】
請求項１に記載のストレーナーのスクリーン収容部の蓋の開閉装置において、ワイヤ結着部材を棒状に形成して蓋の外面から突出させ、その先端に引張ワイヤを結着するワイヤ結着部を設けたことを特徴とするストレーナーのスクリーン収容部の蓋の開閉装置。
【請求項３】
請求項１に記載のストレーナーのスクリーン収容部の蓋の開閉装置において、滑車をストレーナーの中心から側方に寄せて配管結合部に取り付け、スクリーン収容部の蓋の外周側面で滑車のほぼ真下に、引張ワイヤを結着するワイヤ結着部を設けたことを特徴とするストレーナーのスクリーン収容部の蓋の開閉装置。
【請求項４】
斜め下向き又は下向きの開口をもつスクリーン収容部に、該開口を開閉する蓋を、蓋の下端側で蝶着したストレーナーにおいて、引張ワイヤの一端を結着するためのワイヤ結着部を棒状のワイヤ結着部材の先端に設け、該ワイヤ結着部材はスクリーン収容部の蓋から蝶番を挟んで反対側の方向に延出させる一方、蝶番を挟んでスクリーン収容部の開口と反対側に位置する床面付近に、滑車を取り付けて該滑車に前記引張ワイヤを掛け、該引張ワイヤの他端を停止機構付きのワイヤ巻回装置に巻付け、該ワイヤ巻回装置は滑車を挟んでストレーナーと反対側に位置する床面付近に取り付けたことを特徴とするストレーナーのスクリーン収容部の蓋の開閉装置。
【発明の詳細な説明】
【０００１】
【発明の属する技術分野】
本発明は、地域冷暖房などに用いられる冷温水用又は冷却水用の大口径の配管の途中に設置されるストレーナーにあって、内部に収容したスクリーンを清掃するときに、スクリーン収容部の蓋を開閉するための開閉装置に関する。
【０００２】
【従来の技術】
前記ストレーナーは、水を濾過して、例えば、土砂や金属屑のような、水中の異物を除去するので、異物が入ったスクリーンを取り出して清掃する必要があり、このような清掃作業の度ごとに、スクリーン収容部の蓋を開閉しなければならない。
【０００３】
大口径の配管に用いられるストレーナーにおいては、一般にスクリーン収容部の蓋の開閉を簡単にするために蝶番が設けられていて、その蝶番の回転軸を中心に蓋を回転して蓋を開け、また、該回転軸を中心に蓋を逆回転して蓋を閉じている。
【０００４】
この蓋の開閉作業では、スクリーン収容部の蓋が、例えば２５０Aの場合には直径０．４m、重さ３０kg程度以上と大きくて重いので、従来、二人一組で開閉しており、一人が蓋を押さえながら、もう一人が蓋を締め付けているボルトを外してから、二人で蓋を開け、更に、清掃作業が終了すると、二人で蓋を持ち上げて蓋を閉じ、一人がその蓋を押さえて、もう一人がその蓋をスクリーン収容部にボルトで締着していた。
【０００５】
しかし、そのようなストレーナーにおいては、蓋が重いので、力の強い作業員に担当させなければならない不都合がある。
【０００６】
【発明が解決しようとする課題】
本発明は、作業員が一人ですみ、また、あまり力をかけずにスクリーン収容部の蓋を開閉できる開閉装置を提供することを課題とする。
【０００７】
【課題を解決するための手段】
本発明は、上記の課題を解決するものであって、その手段は、請求項１に記載のとおり、斜め下向き又は下向きの開口をもつスクリーン収容部に、該開口を開閉する蓋を、蓋の下端側で蝶着したストレーナーにおいて、引張ワイヤの一端を結着するワイヤ結着部材をスクリーン収容部の蓋の上半部の外面に取り付け、スクリーン収容部に続く配管結合部であって、スクリーン収容部の開口側にある配管結合部に滑車を取り付け、該滑車に前記引張ワイヤを掛け、該引張ワイヤの他端を停止機構付きのワイヤ巻回装置に巻付け、該ワイヤ巻回装置は滑車を挟んでストレーナーとは反対側で、かつ滑車よりも下方に配置したことを特徴とするストレーナーのスクリーン収容部の蓋の開閉装置である。
【０００８】
この装置においては、先ず、蓋を締め付けているボルトを外すとき、蓋が斜め下向き又は下向きの開口をもつスクリーン収容部を閉じているので、蓋が自重により勝手に開かないようにするために、ワイヤ巻回装置の停止機構を作動させておいてから前記ボルトを外す。次いで、停止機構を解除してワイヤ巻回装置を操作して、引張ワイヤを送り出す。
【０００９】
この引張ワイヤの送り出しにしたがって、蓋は、自重により、その下端側の蝶番の回転軸を中心に回転して開く。
【００１０】
内部のスクリーンを取り出し清掃して、それをスクリーン収容部に戻した後、ワイヤ巻回装置を操作して引張ワイヤを巻き取ると、配管結合部に取り付けた滑車に案内されて引張ワイヤが移動して、蓋の上半部の外面に取り付けたワイヤ結着部材を引っ張るので、蓋がその下端側の蝶番の回転軸を中心に逆回転して、蓋が閉じる。
【００１１】
その蓋が閉じた状態で、蓋が元に戻らないようにワイヤ巻回装置の停止機構を作動させて、蓋をボルト締めする。
【００１２】
また、別の手段は、請求項２に記載のとおり、請求項１に記載のストレーナーのスクリーン収容部の蓋の開閉装置において、ワイヤ結着部材を棒状に形成して蓋の外面から突出させ、その先端に引張ワイヤを結着するワイヤ結着部を設けたことを特徴とするストレーナーのスクリーン収容部の蓋の開閉装置である。
【００１３】
この蓋の開閉装置においては、ワイヤ巻回装置を操作して引張ワイヤを巻き取ると、蓋の外面から突出した棒状のワイヤ結着部材が引っ張り上げられ、それによって、蓋が蝶番の回転軸を中心に回転して、蓋の上端が滑車近傍を通過してもワイヤ結着部材が滑車と干渉せずに蓋が閉じられる。
【００１４】
更に、別の手段は、請求項３に記載のとおり、請求項１に記載のストレーナーのスクリーン収容部の蓋の開閉装置において、滑車をストレーナーの中心から側方に寄せて配管結合部に取り付け、スクリーン収容部の蓋の外周側面で滑車のほぼ真下に、引張ワイヤを結着するワイヤ結着部を設けたことを特徴とするストレーナーのスクリーン収容部の蓋の開閉装置である。
【００１５】
この蓋の開閉装置においては、滑車をストレーナーの中心から側方に延出するように配管結合部に取り付け、ワイヤ結着部材を蓋の上半部の外周側面に設けたので、スクリーン収容部の蓋を開閉するときに、引張ワイヤが蓋の周縁と干渉することなく蓋が開閉できる。
【００１６】
他の手段は、請求項４に記載のとおり、斜め下向き又は下向きの開口をもつスクリーン収容部に、該開口を開閉する蓋を、蓋の下端側で蝶着したストレーナーにおいて、引張ワイヤの一端を結着するためのワイヤ結着部を棒状のワイヤ結着部材の先端に設け、該ワイヤ結着部材はスクリーン収容部の蓋から蝶番を挟んで反対側の方向に延出させる一方、蝶番を挟んでスクリーン収容部の開口と反対側に位置する床面付近に、滑車を取り付けて該滑車に前記引張ワイヤを掛け、該引張ワイヤの他端を停止機構付きのワイヤ巻回装置に巻付け、該ワイヤ巻回装置は滑車を挟んでストレーナと反対側に位置する床面付近に取り付けたことを特徴とするストレーナーのスクリーン収容部の蓋の開閉装置である。
【００１７】
この蓋の開閉装置は、ワイヤ巻回装置や滑車を高所に設けることができない場合に用いられるものであり、この蓋を開くためには、蓋が自重により勝手に開かないようワイヤ巻回装置の停止機構を作動させておいてから蓋を止めているボルトを外す。
【００１８】
次いで、停止機構を解除してワイヤ巻回装置を操作し、引張ワイヤを送り出すと、蓋は、自重により下端側の蝶番の回転軸を中心に回転して開く。 このとき、蝶番の回転軸に固着した棒状のワイヤ結着部材も、回転して上側の開位置に移動する。
【００１９】
内部のスクリーンを取り出し清掃して、それをスクリーン収容部に戻した後に、ワイヤ巻回装置を操作して引張ワイヤを巻き取ってワイヤ結着部を滑車の近くまで引き下げると蓋が閉じる。その閉じた状態で、停止機構を作動させてワイヤ巻回装置を停止してから、蓋をボルト締めする。
【００２０】
【発明の実施の形態】
図１で、１は、ストレーナーであり、ストレーナー１は、流入口１ａと流出口１ｂと、それらの中間のスクリーン収容部１ｃを有し、該スクリーン収容部１ｃに内蔵する濾過用のスクリーン１ｄにより水を濾過して水に含まれた異物を除去する。
【００２１】
図１は、ストレーナー１のスクリーン収容部１ｃの蓋２に本発明の開閉装置３を設けた装置の側面図である。
【００２２】
このストレーナー１は、例えば、図１に示すように、斜め下向きの開口１Ａを設けたスクリーン収容部１ｃに、該開口１Ａを開閉する蓋２を、蓋の下端側で蝶着したＹ形ストレーナーであるが、これに限らず、例えば、スクリーン収容部に下向きの開口を設け、該スクリーン収容部の底部に前記開口を開閉する蓋を蝶着する形式のＵ形ストレーナーの場合にも、本発明の蓋の開閉装置３は使用できる。蓋２は、回転軸２ｃを中心に回転する蝶番２ａを下端側に有する。
【００２３】
開閉装置３は、図１に示すように、ワイヤ結着部材４を蓋２の上半部の外面に取り付け、そのワイヤ結着部材４の先端のワイヤ結着部４ａに引張ワイヤ５の一端５ａを結着し、また、滑車６を、図１に示すように、スクリーン収容部１ｃに続く配管結合部ａに、滑車取付部材６ａを介して取り付け、その滑車６に引張ワイヤ５を掛け、更に、引張ワイヤ５の他端５ｂを停止機構付きのワイヤ巻回装置７に巻付けるようにする。
【００２４】
ワイヤ結着部材４は、図２に示すように、棒状部４ｂの基端部に雄ねじ４ｃを形成し、先端部にねじ穴４ｄを設けて、そこにリング状のワイヤ結着部４ａを螺着する。
【００２５】
大口径の配管に用いられるストレーナーにおいては、一般に、スクリーン収容部１ｃの蓋２の外面に水抜き用に複数のタッピングを有し、そのうちの一つを水抜きに用い、他の不使用のタッピングについては閉鎖している。ワイヤ結着部材４は、図１に示すように、蓋の上半部の使用していないタッピング２ｂに、前記雄ねじ４ｃを螺着することによって、蓋２の外面から突出するように蓋２に取り付けられる。
【００２６】
ワイヤ巻回装置７は、例えば、手動式のウィンチのような、引張ワイヤ５を巻き取ったり、送り出したりする装置であり、引張ワイヤ５の過度の送出を阻止するためのブレーキ機構のような停止機構を有する。手動式のウィンチを用いる場合、適当なギア比を選定して巻き取りのときの労力を軽減する。
【００２７】
また、図１に示すように、床面からある程度の高さを有してストレーナー１が設置されている場合、作業員が立ったままで作業できるように、配管を支持する架台８に取り付け台８ａを設けて、その取り付け台８ａ上にワイヤ巻回装置７を固定する。
【００２８】
この本発明の蓋の開閉装置３を使用して蓋２を開くには、先ず、蓋２を締め付けているボルトを外す必要があるが、蓋２が斜め下向きに取り付けられているので、自重により勝手に開かないようにするために、ワイヤ巻回装置７の停止機構を作動させておいてから、前記ボルトを外す。次いで、停止機構を解除してワイヤ巻回装置７を操作して、引張ワイヤ５を送り出す。
【００２９】
蓋２は、その引張ワイヤ５の送り出しにしたがって、自重により下端側の蝶番２ａの回転軸２ｃを中心に回転して、図１に実線で示すように開く。
【００３０】
必要があれば、引張ワイヤ５を更に緩めて、スクリーン１ｄをスクリーン収容部１ｃから取り出して清掃した後にスクリーン１ｄを収容部１ｃに戻してから、ワイヤ巻回装置７を操作して、引張ワイヤ５を巻き取ると、引張ワイヤ５が滑車６に案内されて移動し、ワイヤ結着部材４を介して蓋２を引っ張り上げるので、蓋２は下端側の蝶番の回転軸２ｃを中心にして逆回転する。
【００３１】
そして、引張ワイヤ５によってワイヤ結着部材４の先端のワイヤ結着部４ａが滑車６の近くまで引っ張り上げられると、図１に鎖線で示すように、蓋２が閉じる。その閉じた状態で、蓋２が元に戻らないようにワイヤ巻回装置７の停止機構を作動させてから、蓋２をボルト締めする。
【００３２】
この実施の形態では、ワイヤ結着部材４を引張ワイヤ５で引っ張ってワイヤ結着部４ａを滑車６に近くまで引っ張り上げると蓋２が閉じるので、ワイヤ結着部材４によって閉鎖力を充分に作用させることができ、また、蓋２の上端が滑車６の近傍を通過する構造のものであっても蓋２と滑車６が干渉することもない。
【００３３】
このような蓋の開閉装置３とは別の実施の形態として、図３と図４に示すようなストレーナーのスクリーン収容部の蓋の開閉装置３ａがある。この蓋の開閉装置３ａは、滑車６が配管結合部ａに取り付けられたときに、滑車６が蓋２の上端と干渉してしまうほど配管結合部ａと蓋２の上端が近接している場合に、その干渉を避け、かつ、蓋２の外面にワイヤ結着部材４を設けたくない場合に用いられる。
【００３４】
この蓋の開閉装置３ａは、図４に示すように、スクリーン収容部１ｃの蓋２の上半部の外周側面２ｄにねじ穴２ｅを開けて、該ねじ穴２ｅに、図２におけるワイヤ結着部材４から取り外したワイヤ結着部４ａを、直接螺着したことと、図３及び図４に示すように、滑車６がストレーナーの中心から側方に延出するように、滑車６を、滑車取付部材６ａを用いて、配管結合部ａに取り付けたことを除いて、前記ストレーナーのスクリーン収容部の蓋の開閉装置３と同様である。  この実施の形態は、蓋の外面にワイヤ結着部材を突出させたくない場合に用いる。
【００３５】
蓋の開閉装置３ａを使用してスクリーン収容部１ｃの蓋２を開くには、先ず、蓋２が、自重により勝手に開かないように、ワイヤ巻回装置７の停止機構を作動させておいてから、蓋２を締め付けているボルトを外す。次いで、停止機構を解除して、ワイヤ巻回装置７を操作して、引張ワイヤ５を送り出す。
【００３６】
その引張ワイヤ５の送り出しにしたがって、蓋２は、自重により、蝶番２ａの回転軸２ｃを中心に回転して、図３に実線で示すように開く。
【００３７】
必要があれば、引張ワイヤ５を更に緩めて、スクリーン１ｄをスクリーン収容部１ｃから取り出して清掃した後にスクリーン１ｄを収容部１ｃに戻してから、ワイヤ巻回装置７を操作して、引張ワイヤ５を巻き取ると、ストレーナー１の中心から側方に延出した滑車６に案内されて引張ワイヤ５が移動し、蓋２の外周側面２ｄに螺着されたワイヤ結着部４ａを介して蓋２を引っ張り上げるので、蓋２は蝶番２ａの回転軸２ｃを中心にして逆回転する。
【００３８】
そして、引張ワイヤ５によって蓋２に取り付けたワイヤ結着部４ａが滑車６の近くまで引っ張り上げられると、図３に鎖線で示すように、蓋２が閉じる。そして、蓋２を閉じた状態で、蓋２が元に戻らないようにワイヤ巻回装置７の停止機構を作動させておいて、蓋２をボルト締めする。
【００３９】
また、上記のストレーナーのスクリーン収容部の蓋の開閉装置３、３ａとは、更に別の実施の形態として、図５及び図６に示すようなストレーナーのスクリーン収容部の蓋の開閉装置３ｂがある。この開閉装置３ｂは、滑車６とワイヤ巻回装置７を高所に設けることができない場合に用いられる。
【００４０】
図５及び図６に示されたストレーナーは、斜め下向きの開口１Ａを設けたスクリーン収容部１ｃに、該開口１Ａを開閉する蓋２を、蓋の下端側で蝶着しているＹ形ストレーナーであるが、スクリーン収容部に下向きの開口を設け、該スクリーン収容部の底部に前記開口を開閉する蓋を蝶着する形式のＵ形ストレーナーの場合にも、本発明の蓋の開閉装置３ｂは使用できる。
【００４１】
この開閉装置３ｂは、図５及び図６に示すように、蓋２の下端部に設けられた蝶番２ａの回転軸２ｃの一端に溶接された鋼板９に棒状のワイヤ結着部材４をレバーとして溶接して、棒状のワイヤ結着部材４を鋼板９から蓋２とは反対の方向に延出させ、棒状のワイヤ結着部材４の先端にワイヤ結着部４ａを設けて、該ワイヤ結着部４ａに引張ワイヤ５の一端５ａを結着し、また、滑車６を床面付近に取り付け、その滑車６に引張ワイヤ５を掛け、更に、引張ワイヤ５の他端５ｂを床面付近に取り付けた停止機構付きのワイヤ巻回装置７に巻付けるようにする。
【００４２】
この蓋の開閉装置３ｂを使用して蓋２を開くには、蓋２を締め付けているボルトを外す前に、蓋２が自重により勝手に開かないようにワイヤ巻回装置７の停止機構を作動させておいてから前記ボルトを外し、次いで、停止機構を解除してワイヤ巻回装置７を操作して、引張ワイヤ５を送り出す。
【００４３】
蓋２は、その引張ワイヤ５の送り出しにしたがって、自重により、蝶番２ａの回転軸２ｃを中心にして回転して、図５に実線で示すように開き、床面に接して回転が停止する。このとき、蝶番の回転軸２ｃに溶接された鋼板９は回転し、該鋼板９に溶接された棒状のワイヤ結着部材４も回転して、図５に実線で示すような上側の位置に移動する。
【００４４】
更に、スクリーン１ｄをスクリーン収容部１ｃから取り出して清掃した後にスクリーン１ｄを収容部１ｃに戻してから、ワイヤ巻回装置７を操作して、引張ワイヤ５を巻き取って、ワイヤ結着部４ａを滑車６の近くにまで引き下げると、図５に鎖線で示すように、蓋２が閉じる。この閉じた状態で、蓋２が元に戻らないようにワイヤ巻回装置７の停止機構を作動させておいて、蓋２をボルト締めする。
【００４５】
この実施の形態では、引張ワイヤの一端を結着した棒状のワイヤ結着部材４が蓋と反対側の方向に延出し、滑車６と引張ワイヤ５はスクリーン収容部１ｃの開口１Ａ側には存在しないから、スクリーン収容部１ｃからスクリーン１ｄを取り出して清掃するときには、引張ワイヤ５に邪魔されずに開口１Ａからスクリーン１ｄを容易に取り出せる。
【００４６】
【発明の効果】
請求項１に記載の本発明は、斜め下向き又は下向きの開口をもつスクリーン収容部に蝶着された蓋の締め付けボルトを、ワイヤ巻回装置の停止機構を作動させておいて外し、次いで、停止機構を解除してワイヤ巻回装置により引張ワイヤを送り出すにしたがって、蓋が、自重により、蝶番の回転軸を中心に回転して開き、スクリーンの清掃後には、ワイヤ巻回装置により引張ワイヤを巻き取ると、蓋が蝶番の回転軸を中心に逆回転して閉じ、その閉じた状態でワイヤ巻回装置の停止機構を作動させておいて、蓋をボルト締めするので、作業員が一人ですみ、また、あまり力をかけずにスクリーン収容部の蓋を開閉できる効果を有する。
【００４７】
また、この発明は、ワイヤ結着部材を引張ワイヤで引っ張って蓋を引っ張り上げて蓋を閉じるので、ワイヤ結着部材により閉鎖力を充分に作用させることができる効果を有する。更に、蓋の上端が滑車の近傍を通過する構造のストレーナーであっても、蓋と滑車が干渉することはない。
【００４８】
請求項２に記載の本発明は、ワイヤ巻回装置によって引張ワイヤを巻き取ると、蓋の外面から突出した棒状のワイヤ結着部材が引張ワイヤによって引っ張られて、ワイヤ結着部が滑車の近くまでに引っ張り上げられると蓋が閉じるので、棒状のワイヤ結着部材の長さを利用して蓋を閉じることができる効果を有する。
【００４９】
請求項３に記載の本発明は、滑車をストレーナーの中心から側方に延出するように配管結合部に取り付け、ワイヤ結着部材をスクリーン収容部の蓋の上半部の外周側面に設けたので、滑車が蓋の上端と干渉してしまうほど、配管結合部と蓋の上端が近接している場合にも、スクリーン収容部の蓋を開閉できる効果を有する。
【００５０】
請求項４に記載の本発明は、引張ワイヤの一端を結着した棒状のワイヤ結着部材を蓋と反対側の方向に延出させ、床面付近に取り付けられた滑車にその引張ワイヤを掛けるので、引っ張りワイヤはスクリーン収容部の開口側に存在せず、スクリーンを取り出して清掃するときに、引張ワイヤに邪魔されずに、スクリーン収容部の開口からスクリーンを容易に取り出すことができる効果を有する。
【図面の簡単な説明】
【図１】  本発明のストレーナーのスクリーン収容部の蓋の開閉装置を用いたＹ形ストレーナーの一部欠載側面図。
【図２】  ワイヤ結着部材の側面図。
【図３】  本発明の別の実施の形態のストレーナーのスクリーン収容部の蓋の開閉装置を用いたＹ形ストレーナーの一部欠載側面図。
【図４】  図３のＩＶ−ＩＶ線矢示図。
【図５】  本発明の更に別の実施の形態のストレーナーのスクリーン収容部の蓋の開閉装置を用いたＹ形ストレーナーの一部欠載側面図。
【図６】  図５のＶＩ−ＶＩ線矢示図。
【符号の説明】
１  ストレーナー          １Ａ  開口
１ｃ  スクリーン収容部      ２    スクリーン収容部の蓋
２ａ  蝶番      ２ｃ  蝶番の回転軸        ２ｄ  蓋の外周側面
３、３ａ、３ｂ  ストレーナーのスクリーン収容部の蓋の開閉装置
４  ワイヤ結着部材        ５    引張ワイヤ
６  滑車                  ７    停止機構付きのワイヤ巻回装置
ａ  配管結合部
【図１】
0003773628.tif 000002
【図２】
0003773628.tif 000003
【図３】
0003773628.tif 000004
【図４】
0003773628.tif 000005
【図５】
0003773628.tif 000006
【図６】
0003773628.tif 000007